(57)【要約】【課題】  この発明は、番組情報を複数のソースから取得して表示する映像再生装置及び映像再生方法を提供することを目的としている。【解決手段】  番組情報に関する複数の入力ソースの中から所定の入力ソースを選択する手段（６４）と、選択された入力ソースから番組情報を取得する手段（６４）と、取得された番組情報から前記表示画面へ表示するための追加特殊文字を検出する手段（６４）と、検出された追加特殊文字を重複しないように整理する手段（６４）と、整理された追加特殊文字から追加特殊文字ガイド情報を作成（５７）し、取得された番組情報と合成して電子番組表に関する映像信号を出力する手段（５４）とを備えるようにしたものである。【選択図】    図１
2006081101.tif 000002
【特許請求の範囲】
【請求項１】
番組情報を受信して、表示画面へ表示するための映像信号を出力する映像信号出力装置において、
番組情報に関する複数の入力ソースの中から所定の入力ソースを選択する入力ソース選択手段と、
前記選択された入力ソースから前記表示画面へ表示するための番組情報を取得する番組情報取得手段と、
前記取得された番組情報から前記表示画面へ表示するための追加特殊文字を検出する追加特殊文字検出手段と、
前記検出された追加特殊文字を重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とする映像信号出力装置。
【請求項２】
番組情報を受信して、表示画面へ表示するための映像信号を出力する映像信号出力装置において、
放送を入力ソースとして受信する番組情報およびインターネットを入力ソースとして受信する番組情報の両者を受信可能に構成し、両者の中から少なくとも一つの入力ソースを選択して番組情報を受信する入力ソース選択手段と、
前記選択受信した入力ソースから前記表示画面へ表示するための番組情報を取得する番組情報取得手段と、
前記取得された番組情報から前記表示画面へ表示するための追加特殊文字を検出する追加特殊文字検出手段と、
前記検出された追加特殊文字を重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とする映像信号出力装置。
【請求項３】
番組情報を受信して、表示画面へ表示するための映像信号を出力する映像信号出力装置において、
放送を入力ソースとして受信する番組情報および外部接続されるメモリを入力ソースとして受信する番組情報の両者を受信可能に構成し、両者の中から少なくとも一つの入力ソースを選択して番組情報を受信する入力ソース選択手段と、
前記選択受信した入力ソースから前記表示画面へ表示するための番組情報を取得する番組情報取得手段と、
前記取得された番組情報から前記表示画面へ表示するための追加特殊文字を検出する追加特殊文字検出手段と、
前記検出された追加特殊文字を重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とする映像信号出力装置。
【請求項４】
番組情報を受信して、表示画面へ表示するための映像信号を出力する映像信号出力装置において、
番組情報を取得可能な複数の入力ソースを表示する入力ソース表示手段と、
前記表示された複数の入力ソースから選択された入力ソースに関する情報を記憶する入力ソース情報記憶手段と、
前記記憶された入力ソースから前記表示画面へ表示するための番組情報を取得する番組情報取得手段と、
前記取得された番組情報から前記表示画面へ表示するための追加特殊文字を検出する追加特殊文字検出手段と、
前記検出された追加特殊文字を重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とする映像信号出力装置。
【請求項５】
前記映像信号出力手段は整理された追加特殊文字から追加特殊文字ガイド情報を作成し、前記取得された番組情報と合成してこの追加特殊文字ガイド情報が番組情報の上に重ねて表示画面へ表示されるように電子番組表に関する映像信号を出力することを特徴とする請求項１乃至４に記載の映像信号出力装置。  
【請求項６】
映像信号出力装置はさらに、前記整理された追加特殊文字から追加特殊文字ガイド情報を作成する追加特殊文字ガイド情報出力手段と、
追加特殊文字ガイド情報の表示に関する指示を受信する特殊文字ガイド情報表示指示受信手段を備え、映像信号合成手段は前記電子番組表に関する映像信号が出力されている場合に前記追加特殊文字ガイド情報の表示に関する指示を受信した場合は電子番組表の上に追加特殊文字情報が重ねて表示されるように映像信号を合成して出力することを特徴とする請求項５に記載の映像信号出力装置。
【請求項７】
外部から番組情報を受信して、表示画面へ表示するための映像信号を出力する映像信号出力装置において、
放送が入力される第１の入力ソースから放送を受信する放送番組受信手段と、
前記第１の入力ソースとは異なる第２の入力ソースから前記表示画面へ表示するための番組情報を取得する番組情報取得手段と、
前記第２の入力ソースから取得された番組情報から前記表示画面へ表示するための追加特殊文字を検出する追加特殊文字検出手段と、
前記検出された追加特殊文字を重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とする映像信号出力装置。
【請求項８】
前記第２の入力ソースはインターネットであることを特徴とする請求項１乃至４に記載の映像信号出力装置。
【請求項９】
番組情報を受信して、表示画面へ表示するための映像信号を出力する映像信号出力方法において、
番組情報に関する複数の入力ソースの中から所定の入力ソースを選択するステップと、
前記選択された入力ソースから前記表示画面へ表示するための番組情報を取得するステップと、
前記取得された番組情報から前記表示画面へ表示するための追加特殊文字を検出するステップと、
前記検出された追加特殊文字を重複しないように整理するステップと、
前記整理された追加特殊文字から追加特殊文字ガイド情報を作成し、前記取得された番組情報と合成して電子番組表に関する映像信号を出力するステップとを備えることを特徴とする映像信号出力方法。
【請求項１０】
番組情報を受信して、表示画面へ表示するための映像信号を出力する映像信号出力方法において、
放送を入力ソースとして受信する番組情報およびインターネットを入力ソースとして受信する番組情報の両者を受信可能に構成し、両者の中から少なくとも一つの入力ソースを選択して番組情報を受信するステップと、
前記選択受信した入力ソースから前記表示画面へ表示するための番組情報を取得するステップと、
前記取得された番組情報から前記表示画面へ表示するための追加特殊文字を検出するステップと、
前記検出された追加特殊文字を重複しないように整理するステップと、
前記整理された追加特殊文字から追加特殊文字ガイド情報を作成し、前記取得された番組情報と合成して電子番組表に関する映像信号を出力するステップとを備えることを特徴とする映像信号出力方法。
【請求項１１】
番組情報を受信して、表示画面へ表示するための映像信号を出力する映像信号出力方法において、
放送を入力ソースとして受信する番組情報および外部接続されるメモリを入力ソースとして受信する番組情報の両者を受信可能に構成し、両者の中から少なくとも一つの入力ソースを選択して番組情報を受信するステップと、
前記選択受信した入力ソースから前記表示画面へ表示するための番組情報を取得するステップと、
前記取得された番組情報から前記表示画面へ表示するための追加特殊文字を検出するステップと、
前記検出された追加特殊文字を重複しないように整理するステップと、
前記整理された追加特殊文字から追加特殊文字ガイド情報を作成し、前記取得された番組情報と合成して電子番組表に関する映像信号を出力するステップとを備えることを特徴とする映像信号出力方法。
【請求項１２】
番組情報を受信して、表示画面へ表示するための映像信号を出力する映像信号出力方法において、
放送が入力される第１の入力ソースから放送を受信するステップと、
前記第１の入力ソースとは異なる第２の入力ソースから前記表示画面へ表示するための番組情報を取得するステップと、
前記取得された番組情報から前記表示画面へ表示するための追加特殊文字を検出するステップと、
前記検出された追加特殊文字を重複しないように整理するステップと、
前記整理された追加特殊文字から追加特殊文字ガイド情報を作成し、前記取得された番組情報と合成して電子番組表に関する映像信号を出力するステップとを備えることを特徴とする映像信号出力方法。
【発明の詳細な説明】
【技術分野】
【０００１】
この発明は、外部から番組に関する情報（いわゆるＥＰＧ情報）を取得し、番組表と共に追加特殊文字ガイドを表示する映像信号出力装置及び映像信号出力方法に関する。
【背景技術】
【０００２】
近年、テレビ放送のデジタル化が推進され、日本国内においては、ＣＳデジタル放送やＢＳデジタル放送、地上波デジタル放送が実用に供されている。ここではこれらを総称してデジタル放送と呼ぶ。
【０００３】
一般に、デジタル放送では、放送波の中に電子番組表（ＥＧＰ）等の番組に関するＳＩ情報（Service Information）が重畳されている。
【０００４】
デジタル放送受信装置ではデジタル放送の選局を行う。そして、選局されたチャンネルデータからＳＩ情報を取得し、電子番組表（ＥＧＰ）を表示することが可能である。ユーザはこの電子番組表から番組を選択したり、好みのジャンルを指定したりして所望のチャンネルを選局することが可能である。また、バナーという表示画面では、放送中の画面にＯＳＤ（On Screen Display）にて、現在放送している番組の番組名、放送時間、番組の属性等の番組情報が表示される。
【０００５】
ＳＩ情報の中で使用される文字セットには、漢字、英数、平仮名、方仮名や各放送によって規定される追加記号などがある。この文字セットは、チャンネルや番組の内容を示すための名称や番組説明などの記述に使用される。また、追加記号としては、既存の文字放送やＦＭ多重放送で用いられている追加記号、および番組情報として必要な新追加特殊文字や追加漢字が定義されている。
【０００６】
追加特殊文字は、ＪＩＳ規格に規定されていない文字で、新聞やテレビ番組ガイド雑誌のラジオ・テレビ欄で表示されている四角形で囲まれた「Ｓ」（ステレオ放送）や「ニ」（２カ国語放送）と同様な表示をするために使用される。
【０００７】
新聞やテレビ番組ガイド雑誌等のラジオ・テレビ欄では、一般に、このような特殊文字を使用する場合に、紙面の空きエリアまたはコーナーの表紙に各特殊文字の意味を示すガイドが表示されている。
【０００８】
特許文献１には、電子番組表（ＥＧＰ）において、追加特殊文字を表示する技術が開示されている。しかし、特許文献１においては、番組情報を放送から取得することは開示されているが、複数のソースから番組情報を取得し、表示することは開示されていなかった。このため、実用の意味での課題があった。
【特許文献１】特開２００３−１９８９７６号公報
【発明の開示】
【発明が解決しようとする課題】
【０００９】
そこで、この発明は上記事情を考慮してなされたもので、番組情報を、放送からだけではなく、複数のソースから取得し、表示する映像信号出力装置及び映像信号出力方法を提供することを目的とする。
【課題を解決するための手段】
【００１０】
この発明に係る映像信号出力装置は、番組情報に関する複数の入力ソースの中から所定の入力ソースを選択する入力ソース選択手段と、前記選択された入力ソースから前記表示画面へ表示するための番組情報を取得する番組情報取得手段と、前記取得された番組情報から前記表示画面へ表示するための追加特殊文字を検出する追加特殊文字検出手段と、前記検出された追加特殊文字を重複しないように整理する整理手段と、前記整理された追加特殊文字から追加特殊文字ガイド情報を作成し、前記取得された番組情報と合成して電子番組表に関する映像信号を出力する映像信号出力手段とを備えるようにしたものである。
【００１１】
また、この発明に係る映像信号出力方法は、番組情報に関する複数の入力ソースの中から所定の入力ソースを選択するステップと、前記選択された入力ソースから前記表示画面へ表示するための番組情報を取得するステップと、前記取得された番組情報から前記表示画面へ表示するための追加特殊文字を検出するステップと、前記検出された追加特殊文字を重複しないように整理するステップと、前記整理された追加特殊文字から追加特殊文字ガイド情報を作成し、前記取得された番組情報と合成して電子番組表に関する映像信号を出力するステップとを備えるようにしたものである。
【発明の効果】
【００１２】
上記した発明によれば、番組情報を、放送からだけではなく、複数のソースから取得し、表示することが可能となる。また、番組情報に関する複数の入力ソースの中から所定の入力ソースを選択することが可能となる。このため、映像信号出力装置を複数の機器と接続し、これらを制御しやすくすることが可能となる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multi-media Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネットを用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
現在、インターネット経由で電子番組表（ＥＧＰ）に関する情報（Ｓｅｒｖｉｃｅ  ｉｎｆｏｒｍａｔｉｏｎ）を配信するサービスが行われている。
【００２３】
この発明においては、デジタルテレビジョン放送受信装置１１は、上記のようにインターネットに接続できるように構成されており、例えばネットワーク３２を介して電子番組表（ＥＧＰ）に関する情報を取得することが可能である。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
この発明においては、デジタルテレビジョン放送受信装置１１は、上記のように、ＵＳＢ端子２３を介して携帯電話３６、メモリカードに対するカードリーダ／ライタ３８、ＨＤＤ３９等と情報伝送を行なうことが可能である。そして、携帯電話３６、メモリカードに対するカードリーダ／ライタ３８、ＨＤＤ３９等からＵＳＢ端子２３を介して電子番組表（ＥＧＰ）に関する情報を取得することが可能である。
【００２６】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２７】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２８】
そして、このチューナ４５で選局された放送信号は、ＰＳＫ（Phase Shift Keying）復調器４６に供給されて、デジタルの映像信号及び音声信号に復調された後、信号処理部４７に出力される。
【００２９】
ＢＳ／ＣＳデジタル放送には、電子番組表（ＥＧＰ）に関するＳＩ情報（Ｓｅｒｖｉｃｅ  ｉｎｆｏｒｍａｔｉｏｎ）が重畳されており、この放送を入力ソースとしてＳＩ情報を取得することが可能である。
【００３０】
チューナ４５で受信されたＢＳ／ＣＳデジタル放送は、制御部６１からの制御信号に基づいて、受信信号から所定の伝送チャンネルを選択し、複数のチャンネル及び番組のデータを含む多重データを受信する。
【００３１】
信号処理部４７は、受信信号のビットストリームに含まれる識別情報（ＩＤ）に基づいてパケットを分離し、更に番組情報のＳＩ情報を分離する。
【００３２】
制御部６１は、信号処理部４７で取得されたＳＩ情報から、電子番組表の表示に要求される番組情報等のＯＳＤデータ信号を抽出し、ＯＳＤ信号生成部５７へ出力する。また、制御部６１は、事前に選別された追加特殊文字及びその意味を示すガイドをＯＳＤデータ信号としてＯＳＤ信号生成部５７へ出力する。この追加特殊文字の意味を示すガイドは例えば制御部６１内の不揮発性メモリ６４に予め格納される。この追加特殊文字ガイドは、不揮発性メモリ６４に格納された追加特殊文字全てについて、その意味を表示してもよいし、使用頻度が高いと推定される追加特殊文字について、その意味を表示してもよい。
【００３３】
また、地上波放送受信用のアンテナ４８で受信した地上デジタルテレビジョン放送（地上波デジタル放送）信号は、入力端子４９を介して地上デジタル放送用のチューナ５０に供給されることにより、所望のチャンネルの放送信号が選局される。
【００３４】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３５】
地上波デジタル放送も上記ＢＳ／ＣＳデジタル放送と同様に、電子番組表（ＥＧＰ）に関するＳＩ情報（Ｓｅｒｖｉｃｅ  ｉｎｆｏｒｍａｔｉｏｎ）が重畳されており、この放送を入力ソースとしてＳＩ情報を取得することが可能である。
【００３６】
上記と同様に、チューナ５０で受信された地上波デジタル放送は、制御部６１からの制御信号に基づいて、受信信号から所定の伝送チャンネルを選択し、複数のチャンネル及び番組のデータを含む多重データを受信する。
【００３７】
信号処理部４７は、受信信号のビットストリームに含まれる識別情報（ＩＤ）に基づいてパケットを分離し、更に番組情報のＳＩ情報を分離する。
【００３８】
制御部６１は、信号処理部４７で取得されたＳＩ情報から、電子番組表の表示に要求される番組情報等のＯＳＤデータ信号を抽出し、ＯＳＤ信号生成部５７へ出力する。また、上記と同様に、制御部６１は、事前に選別された追加特殊文字及びその意味を示すガイドをＯＳＤデータ信号としてＯＳＤ信号生成部５７へ出力する。この追加特殊文字の意味を示すガイドも、例えば制御部６１内の不揮発性メモリ６４に予め格納される。この追加特殊文字ガイドも、不揮発性メモリ６４に格納された追加特殊文字全てについて、その意味を表示してもよいし、使用頻度が高いと推定される追加特殊文字について、その意味を表示してもよい。
【００３９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００４０】
現在、国内の地上アナログ放送では、放送を入力ソースとしてＳＩ情報を取得することはあまり行われていない。この場合、上記のようにインターネットを介して電子番組表（ＥＧＰ）に関する情報を取得することが可能である。
【００４１】
また、一部の地上アナログ放送では、垂直帰線期間（Vertical Blanking Interval  ：ＶＢＩ）に電子番組表（ＥＧＰ）に関するＳＩ情報（Service Information）が重畳されており、上記ＢＳ／ＣＳデジタル放送や地上波デジタル放送と同様に、この放送を入力ソースとしてＶＢＩに重畳されたＳＩ情報を取得することも可能である。
【００４２】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００４３】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００４４】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００４５】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００４６】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００４７】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００４８】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００４９】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００５０】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００５１】
この発明においては、デジタルテレビジョン放送受信装置１１は、上記のように、カードＩ／Ｆ（Interface）６５を介して、前記第１のメモリカード１９と情報伝送を行なうことが可能である。そして、第１のメモリカード１９からカードＩ／Ｆ（Interface）６５を介して電子番組表（ＥＧＰ）に関する情報を取得することが可能である。
【００５２】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００５３】
この発明においては、デジタルテレビジョン放送受信装置１１は、上記のように、カードＩ／Ｆ６７を介して、前記第２のメモリカード２０と情報伝送を行なうことが可能である。そして、第２のメモリカード２０からカードＩ／Ｆ６７を介して電子番組表（ＥＧＰ）に関する情報を取得することが可能である。
【００５４】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００５５】
この発明においては、デジタルテレビジョン放送受信装置１１は、上記のように、第１のＬＡＮ端子２１を介して、ＬＡＮ対応のＨＤＤ２５と情報伝送を行なうことが可能である。そして、ＬＡＮ対応のＨＤＤ２５から第１のＬＡＮ端子２１を介して電子番組表（ＥＧＰ）に関する情報を取得することが可能である。
【００５６】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００５７】
この発明においては、デジタルテレビジョン放送受信装置１１は、上記と同様に、第２のＬＡＮ端子２２を介して、第２のＬＡＮ端子２２に接続された各機器と情報伝送を行なうことが可能である。そして、第２のＬＡＮ端子２２に接続された各機器から第２のＬＡＮ端子２２を介して電子番組表（ＥＧＰ）に関する情報を取得することが可能である。
【００５８】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００５９】
この発明においては、デジタルテレビジョン放送受信装置１１は、ＵＳＢ Ｉ／Ｆ７１を介して、ＵＳＢ端子２３に接続された各機器と情報伝送を行なうことが可能である。そして、ＵＳＢ端子２３に接続された各機器からＵＳＢ Ｉ／Ｆ７１を介して電子番組表（ＥＧＰ）に関する情報を取得することが可能である。
【００６０】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００６１】
この発明においては、デジタルテレビジョン放送受信装置１１は、ｉ．Link Ｉ／Ｆ７２を介して、ｉ．Link端子２４に接続された各機器と情報伝送を行なうことが可能である。そして、ｉ．Link端子２４に接続された各機器からｉ．Link Ｉ／Ｆ７２を介して電子番組表（ＥＧＰ）に関する情報を取得することが可能である。
【００６２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００６３】
図４は、この発明の実施の形態における番組情報の取得動作を説明するフローチャートである。
【００６４】
符号１００はここでの開始ステップである。続いて符合１０１を付したステップへ進む。
【００６５】
符合１０１は番組情報の取得指示を行うステップである。番組情報の取得指示は例えばデジタルテレビジョン放送受信装置１１に設けられる制御部６１から制御されてもよい。この際、番組情報を取得するタイミングは制御部６１によって制御される。
【００６６】
また、例えば、ユーザが上記リモートコントローラ１７等を操作し、デジタルテレビジョン放送受信装置１１に対して番組情報を取得するよう指示するように構成してもよい。続いて符合１０２を付したステップへ進む。
【００６７】
符合１０２は番組情報の入力ソースを複数の中から選択するステップである。例えば、後述する図５に示すように複数の番組情報の入力ソースの選択画面を表示する。ユーザはリモートコントローラ１７等を操作して複数の中から所望の入力ソースの選択を行うことができる。ここでは、この入力ソース選択に係る情報は不揮発性メモリ６４に記憶される。
【００６８】
複数の番組情報の入力ソースは、例えば、放送および外部接続されるメモリの両者を受信可能に構成し、この両者の中から少なくとも一つの入力ソースを選択するように構成することも可能である。
【００６９】
尚、この番組情報の入力ソース選択が予め行われ、この情報が例えば不揮発性メモリ６４に記憶されていてもよい。また、ここでは特に図示はしないが、番組情報の入力ソース選択は、デジタルテレビジョン放送受信装置１１に接続された各番組情報の入力ソースの接続状況を制御部６１が判断し、デジタルテレビジョン放送受信装置１１に対して接続が確立されている入力ソースの中から選択するようにしてもよい。また、上記番組情報の取得指示を行うステップ１０１と番組情報の入力ソースを選択するステップ１０２は両者の順序を適宜変更することも可能である。続いて符合１０３を付したステップへ進む。
【００７０】
符合１０３は上記選択された入力ソースから番組情報を取得するステップである。この動作は制御部６１によって制御される。続いて符合１０４を付したステップへ進む。
【００７１】
符合１０４は上記取得された番組情報をメモリへ記憶するステップである。上記取得された番組情報を例えば制御部６１内の不揮発性メモリ６４に記憶する。続いて符合１０５を付したステップへ進む。
【００７２】
符合１０５は終了ステップであり、ここでの処理は終了する。
【００７３】
図５は、この発明の実施の形態におけるデジタルテレビジョン放送受信装置に係る番組情報の入力ソースを選択するための表示画面の一例を説明する図である。
【００７４】
上記のように、例えば、ユーザがリモートコントローラ１７等を操作し、映像表示器１４に番組情報の入力ソース選択画面を表示する。ユーザはリモートコントローラ１７等を操作し、表示された番組情報の入力ソースの中から所望の入力ソースを選択する。ここでは、番組情報の入力ソースとして「放送」、「ＨＤＤ」、「ネットワーク（インターネット）」、「ＵＳＢ」、「ｉ．Link」が表示され、ユーザによって「ネットワーク（インターネット）」が選択されている例を示している。
【００７５】
図６はこの発明の実施の形態におけるデジタルテレビジョン放送受信装置に係る追加特殊文字の表示動作を示すフローチャートである。これらの動作は制御部６１によって制御される。
【００７６】
符号２００はここでの開始ステップである。続いて符合２０１を付したステップへ進む。
【００７７】
符合２０１は複数の中から選択された入力ソースから取得され、メモリ（ここでは不揮発性メモリ６４）に記憶されている番組情報をＯＳＤ信号生成部５７へ向けて出力するステップである。続いて符合２０２を付したステップへ進む。
【００７８】
符合２０２はＯＳＤ信号生成部５７で番組情報から生成された電子番組表を映像表示器１４へ表示するステップである。続いて符合２０３を付したステップへ進む。
【００７９】
符合２０３は追加特殊文字ガイド表示の指示があるか否かを判断するステップである。例えばユーザがリモートコントローラ１７等を操作し、追加特殊文字ガイド表示の指示が行われたか否かを判断する。追加特殊文字ガイド表示の指示があると判断した場合は符号２０４を付したステップへ進む（Ｙｅｓ）。追加特殊文字ガイド表示の指示がないと判断した場合は符号２０１を付したステップへ進み上記処理を繰り返す（Ｎｏ）。
【００８０】
符合２０４はメモリ（ここでは不揮発性メモリ６４）に記憶されている番組情報から表示画面へ表示するための追加特殊文字を検出するステップである。続いて符合２０５を付したステップへ進む。
【００８１】
符合２０５は検出された追加特殊文字を重複しないように整理するステップである。続いて符合２０６を付したステップへ進む。
【００８２】
符合２０６は番組情報および整理された追加特殊文字をＯＳＤ信号生成部５７へ出力するステップである。続いて符合２０７を付したステップへ進む。
【００８３】
符合２０７は電子番組表に追加特殊文字ガイドを重ねて表示するステップである。続いて符合２０８を付したステップへ進む。
【００８４】
符合２０８は終了ステップであり、ここでの処理は終了する。
【００８５】
図７は追加特殊文字ガイド情報が付加された電子番組表の表示画面の一例を説明する図である。
【００８６】
ここでは、追加特殊文字ガイド２１はこの表示画面の右下に表示されている。この電子番組表は、例えばユーザがリモートコントローラ１７等を操作し、上下左右にスクロールさせることが可能である。また、追加特殊文字ガイド２１の左に表示されている画像２２は、現在選択されている番組（上部中央の白抜きの番組）の詳細を示す番組説明画像である。上記のように表示される追加特殊文字ガイド２１は、ラジオ・テレビ欄形式の番組表に限らず、個々の番組の属性（映画、スポーツ番組等）にフィルタをかけ、同一種類の番組を検索した番組検索結果の表示など、番組やチャンネルの情報として伝送される番組・チャンネル情報に適用することも可能である。
【００８７】
すなわち、この発明の実施の形態においては、整理された追加特殊文字から追加特殊文字ガイド情報を作成し、取得された番組情報と合成して追加特殊文字ガイド情報が番組情報の上に重ねて表示画面へ表示するようにしている。  
図８は追加特殊文字ガイド情報が付加された電子番組表の表示画面の他の例を説明する図である。
【００８８】
追加特殊文字ガイド２３はこの表示画面の右下に表示されている。この電子番組表は、例えばユーザがリモートコントローラ１７等を操作し、上下左右にスクロールさせることが可能である。また、追加特殊文字ガイド２１の左に表示されている画像２２は、現在選択されている番組（上部中央の白抜きの番組）の詳細を示す番組説明画像である。上記のように表示される追加特殊文字ガイド２１は、ラジオ・テレビ欄形式の番組表に限らず、個々の番組の属性（映画、スポーツ番組等）にフィルタをかけ、同一種類の番組を検索した番組検索結果の表示など、番組やチャンネルの情報として伝送される番組・チャンネル情報に適用することも可能である。
【００８９】
また、この発明の実施の形態においては、電子番組表に関する映像信号が出力されている場合に前記追加特殊文字ガイド情報の表示に関する指示を受信した場合は電子番組表の上に追加特殊文字情報を重ねて表示するようにしている。
【００９０】
上記のように構成することによって、番組情報を、放送からだけではなく、複数のソースから取得し、表示することが可能となる。また、番組情報に関する複数の入力ソースの中から所定の入力ソースを選択することが可能となる。このため、映像信号出力装置を複数の機器と接続し、これらを制御しやすくすることが可能となる。
【００９１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００９２】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態における番組情報の取得動作を説明するフローチャート。
【図５】同実施の形態におけるデジタルテレビジョン放送受信装置に係る番組情報の入力ソースを選択するための表示画面の一例を説明する図。
【図６】同実施の形態における追加特殊文字の表示動作を示すフローチャート。
【図７】追加特殊文字ガイド情報が付加された電子番組表の表示画面の一例を説明する図。
【図８】追加特殊文字ガイド情報が付加された電子番組表の表示画面の他の例を説明する図。
【符号の説明】
【００９３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006081101.tif 000003
【図２】
2006081101.tif 000004
【図３】
2006081101.tif 000005
【図４】
2006081101.tif 000006
【図５】
2006081101.tif 000007
【図６】
2006081101.tif 000008
【図７】
2006081101.tif 000009
【図８】
2006081101.tif 000010